(57)【特許請求の範囲】
【請求項１】
切断主体を含み、
前記切断主体の中には切断空間が設置され、前記切断空間の中には輸送装置が設置され、前記輸送装置は上下対称の輸送転輪を含み、前記輸送転輪は対向的に回転することでガラス管を左方に移動させることができ、それによって切断を行い、前記輸送装置の左側には動力変換装置が設置され、前記動力変換装置の上側には伸縮装置が設置され、前記伸縮装置は前記動力変換装置の動力変換作動を制御することができ、
前記動力変換装置の左側には環状の切断回転溝が形成され、前記切断回転溝と前記切断空間とが連通し、前記切断回転溝の中には切断装置が設置され、前記切断装置と前記動力変換装置とは伝動できるように連結され、前記動力変換装置はそれぞれ前記輸送装置と前記切断装置とに動力を提供でき、
前記切断装置の中には切断刃と熱伝導ブロックとがあり、前記切断装置の作動は、前記切断刃が前記ガラス管を中心に回転することを連動させ、且つ前記熱伝導ブロックが通電して発熱して前記切断刃に伝導して前記ガラス管に対する切断を速め、前記切断空間の左側には送り出し空間が連通するように設置され、前記送り出し空間の外周には送り出し装置が設置され、
前記送り出し装置の後側には振動装置が設置され、前記振動装置は前記ガラス管をきつく挟むことができ、前記ガラス管を切断した後に左方へ移動させ、そして切断された前記ガラス管が前記送り出し空間の中まで出力されることを特徴とする防護型のガラス切断機。
【請求項２】
前記輸送装置は上下対称の昇降空間を含み、
前記昇降空間と前記切断空間とが連通し、前記昇降空間の中には輸送ブロックがスライドできるように設置され、前記輸送転輪が前記輸送ブロックの中に回転できるように設置され、前記輸送転輪の中心には輸送回転軸が固定的に設置され、前記輸送転輪の上側には噛み合い空間が設置され、前記噛み合い空間の後端壁の中には歯車回転軸が回転できるように設置され、前記歯車回転軸と前記輸送回転軸とはタイミングベルトによって伝動できるように連結され、前記歯車回転軸の前端には第一傘歯車が固定的に設置され、前記第一傘歯車の上側には第二傘歯車が噛み合うように連結され、前記第二傘歯車の中心にはスプライン軸が固定的に設置され、前記スプライン軸には伸縮バネがカバーするように設置され、
前記昇降空間の上端壁の中にはスプラインスリーブが回転できるように設置され、前記スプラインスリーブには伝動ベルトが伝動できるように連結され、前記昇降空間の後側の間には連結軸が回転できるように設置され、前記連結軸の上下両端はそれぞれ前記伝動ベルトと伝動できるように連結されていることを特徴とする請求項１に記載の防護型のガラス切断機。
【請求項３】
前記動力変換装置は変換空間を含み、
前記変換空間の中には変換ブロックがスライドできるように設置され、前記変換ブロックの上端面には当接ブロックが固定的に設置され、前記当接ブロックの外周には復帰バネが前記当接ブロックをカバーするように設置され、前記復帰バネの上下両端はそれぞれ前記変換空間の上端壁と前記変換ブロックの上端面と固定的に連結され、
前記変換ブロックの中には動力モーターが設置され、前記動力モーターの下端には動力回転軸が伝動できるように装着され、前記動力回転軸には主動歯車が固定的に設置され、前記主動歯車の下側には第三傘歯車が固定的に設置され、前記第三傘歯車の左端には第四傘歯車が噛み合えるように連結され、前記第四傘歯車と前記切断装置とが伝動できるように連結され、
前記変換空間の右端壁の中には従動回転溝が連通するように形成され、前記従動回転溝の中には従動歯車が回転できるように設置され、前記従動歯車と前記主動歯車とが噛み合うように連結され、前記従動歯車の中心には従動回転軸が固定的に設置され、
前記従動回転溝の上側にはベルト溝が連通するように形成され、前記従動回転軸の上端と前記ベルト溝の上端壁とが回転できるように連結され、上側の前記スプラインスリーブが前記ベルト溝を貫通し、前記ベルト溝の中の前記スプラインスリーブと前記従動回転軸とが動力ベルトによって連結されていることを特徴とする請求項２に記載の防護型のガラス切断機。
【請求項４】
前記伸縮装置は環状の伸縮溝を含み、
前記伸縮溝の右端壁には伸縮モーターが固定的に設置され、前記伸縮モーターの左端にはプッシュロッドが装着され、前記プッシュロッドには当接溝が形成され、前記当接ブロックの上端が前記伸縮溝の中に伸び、且つ前記当接溝と当接し、
前記プッシュロッドの左端には環状板が固定的に設置されており、前記環状板の左端は斜面構造であることを特徴とする請求項３に記載の防護型のガラス切断機。
【請求項５】
前記切断装置は環状溝を含み、
前記環状溝と前記切断回転溝の右側とが連通し、前記環状溝の中には歯付きリングが回転できるように設置され、前記歯付きリングの中には回転歯車が噛み合うように連結され、前記回転歯車の中心には回転ロッドが固定的に設置され、前記回転ロッドの右端と前記第四傘歯車とが固定的に連結され、前記切断回転溝の中には切断回転ブロックがスライドできるように設置され、
前記切断回転ブロックの右端面の中には圧力かけ溝が形成され、前記圧力かけ溝の中には圧力かけスライドブロックがスライドできるように設置され、前記圧力かけスライドブロックの上端と前記圧力かけ溝との間には圧力かけバネが固定的に設置され、前記圧力かけスライドブロックの右端と前記歯付きリングとが固定的に連結され、前記切断回転ブロックの中には調節空間が設置され、前記調節空間の中には装着ブロックがスライドできるように設置され、前記熱伝導ブロックが前記装着ブロックの中に装着され、且つ前記熱伝導ブロックが外部の商用電源と通電できるように連結され、
前記調節空間の左端壁の中には調節スライド溝が連通するように設置され、前記調節スライド溝の中には調節親ねじが回転できるように設置され、前記装着ブロックと前記調節親ねじとがネジ山によって連結され、前記切断回転溝の外側には環状の凹溝が連通するように形成され、前記調節親ねじの上端が前記凹溝の中に伸び、且つ前記調節親ねじの上端には調節回転ブロックが固定的に設置されていることを特徴とする請求項４に記載の防護型のガラス切断機。
【請求項６】
前記切断回転ブロックの上端面には固定ブロックが固定的に設置され、
前記固定ブロックには圧力バネがカバーするように設置され、
前記固定ブロックの上端が前記伸縮溝の中に伸びており、且つ前記固定ブロックの右端面は斜面構造であり、それによって前記環状板と当接できることを特徴とする請求項５に記載の防護型のガラス切断機。
【請求項７】
前記送り出し装置は移動空間を含み、
前記移動空間の右端壁の中には駆動モーターが固定的に設置され、前記駆動モーターの左端には回転親ねじが装着され、前記回転親ねじの左端と前記移動空間の左端壁とが回転できるように連結され、前記移動空間の中には移動ブロックがスライドできるように設置され、前記移動ブロックの下端面は歯状構造であり、前記移動ブロックの前端と前記移動空間の前端壁との間には連結バネが固定的に設置され、
前記移動ブロックの中にはスライド溝が形成され、前記スライド溝の中にはスライドブロックがスライドできるように設置され、前記スライドブロックと前記回転親ねじとがネジ山によって連結され、前記スライド溝の上側には巻取空間が設置され、前記巻取空間の中には巻取車が回転できるように設置され、前記巻取車には二本の引き紐が固定的に巻き付くように設置され、二つの前記引き紐は前記巻取車を基準として前後に設置され、
前記巻取空間の上端壁には回転モーターが固定的に設置され、前記巻取車と前記回転モーターとが伝動できるように連結されていることを特徴とする請求項１に記載の防護型のガラス切断機。
【請求項８】
前記移動ブロックの中には前後対称の挟み空間が設置され、
前記挟み空間と前記送り出し空間とが連通し、前記挟み空間と前記巻取空間との間にはテンションプーリが回転できるように設置され、前記引き紐の下端は前記テンションプーリを巻き付けた後に前記挟み空間の中に伸び、前記挟み空間の中には挟みスライドロッドがスライドできるように設置され、前記引き紐と前記挟みスライドロッドとが固定的に連結され、
前記挟みスライドロッドのうち前記送り出し空間から離れている一つの端面にはトーションバネが固定的に設置され、前記挟みスライドロッドのうち対称中心に近接した一端には挟みブロックが固定的に設置され、前記挟みブロックのうち対称中心に近接した一つの端面には滑り防止パッドが固定的に設置されていることを特徴とする請求項７に記載の防護型のガラス切断機。
【請求項９】
前記振動装置は伝動溝を含み、
前記伝動溝の上側と前記移動空間とが連通し、前記伝動溝の中には伝動歯車が回転できるように設置され、前記伝動歯車が前記移動ブロックと噛み合い、前記伝動歯車の中心には伝動軸が固定的に設置され、
前記伝動溝の後側には転向空間が連通するように設置され、前記伝動軸の後端が前記転向空間の中に伸び、且つ前記伝動軸の後端には第五傘歯車が固定的に設置され、前記第五傘歯車の後端には第六傘歯車が噛み合うように連結され、前記第六傘歯車の中心には転向回転軸が固定的に設置され、
前記転向空間の上側にはカム空間が連通するように設置され、前記転向回転軸の上端と前記カム空間の上端壁とが回転できるように連結され、前記カム空間の中の前記転向回転軸にはカムが固定的に設置され、前記カムが前記移動ブロックの後端面と当接していることを特徴とする請求項８に記載の防護型のガラス切断機。
【発明の詳細な説明】
【技術分野】
【０００１】
本発明はガラス切断技術分野に関わり、具体的には防護型のガラス切断機である。
【背景技術】
【０００２】
伝統的なガラス管切断装置の中で、回転できる切断刃の位置は固定され、ガラス管の回転によって、切断刃でガラス管を切断し、また、切断過程において、ガラス管の送り込まれる片側だけに締結構造を設置し、それによって切断位置の送り出される片側は切断力を受けて変位しやすく、それで切断口の階層は揃っていなく、且つ切断の速度は低く、その他、切断作業を行う時、ガラス管と切断刃とが当接した状態を保つことで、ガラス管を送り込む時、切断刃はガラス管の表面を傷付けやすく、ガラス管に損傷をもたらす。本発明は上記の問題を解決できる装置を開示した。
【先行技術文献】
【特許文献】
【０００３】
【特許文献１】中国特許出願公開第１０７０１２６８２号明細書
【発明の概要】
【発明が解決しようとする課題】
【０００４】
技術上の問題：
伝統的なガラス管切断装置はガラス管を安定させる性能は悪く、切断刃が変位しやすく、切断効率が低く、且つ切断されたガラス管の切断された部位の分離速度が遅い。
【課題を解決するための手段】
【０００５】
上記の問題を解決するために、本発明の実施例は防護型のガラス切断機をデザインした。
本発明の実施例の防護型のガラス切断機は、切断主体を含み、前記切断主体の中には切断空間が設置され、前記切断空間の中には輸送装置が設置され、前記輸送装置は上下対称の輸送転輪を含み、前記輸送転輪は対向的に回転することでガラス管を左方に移動させることができ、それによって切断を行い、前記輸送装置の左側には動力変換装置が設置され、前記動力変換装置の上側には伸縮装置が設置され、前記伸縮装置は前記動力変換装置の動力変換作動を制御することができ、前記動力変換装置の左側には環状の切断回転溝が形成され、前記切断回転溝と前記切断空間とが連通し、前記切断回転溝の中には切断装置が設置され、前記切断装置と前記動力変換装置とは伝動できるように連結され、前記動力変換装置はそれぞれ前記輸送装置と前記切断装置とに動力を提供でき、前記切断装置の中には切断刃と熱伝導ブロックとがあり、前記切断装置の作動は、前記切断刃が前記ガラス管を中心に回転することを連動させ、且つ前記熱伝導ブロックが通電して発熱して前記切断刃に伝導して前記ガラス管に対する切断を速め、前記切断空間の左側には送り出し空間が連通するように設置され、前記送り出し空間の外周には送り出し装置が設置され、前記送り出し装置の後側には振動装置が設置され、前記振動装置は前記ガラス管をきつく挟むことができ、前記ガラス管を切断した後に左方へ移動させ、そして切断された前記ガラス管が前記送り出し空間の中まで出力される。
【０００６】
好ましくは、前記輸送装置は上下対称の昇降空間を含み、前記昇降空間と前記切断空間とが連通し、前記昇降空間の中には輸送ブロックがスライドできるように設置され、前記輸送転輪が前記輸送ブロックの中に回転できるように設置され、前記輸送転輪の中心には輸送回転軸が固定的に設置され、前記輸送転輪の上側には噛み合い空間が設置され、前記噛み合い空間の後端壁の中には歯車回転軸が回転できるように設置され、前記歯車回転軸と前記輸送回転軸とはタイミングベルトによって伝動できるように連結され、前記歯車回転軸の前端には第一傘歯車が固定的に設置され、前記第一傘歯車の上側には第二傘歯車が噛み合うように連結され、前記第二傘歯車の中心にはスプライン軸が固定的に設置され、前記スプライン軸には伸縮バネがカバーするように設置され、前記昇降空間の上端壁の中にはスプラインスリーブが回転できるように設置され、前記スプラインスリーブには伝動ベルトが伝動できるように連結され、前記昇降空間の後側の間には連結軸が回転できるように設置され、前記連結軸の上下両端はそれぞれ前記伝動ベルトと伝動できるように連結されており、
それによって前記ガラス管の外径のサイズによって、前記輸送ブロックは前記輸送転輪が伸縮調節を行うのを連動させられ、それによって前記輸送転輪が前記ガラス管と当接し、上下の前記輸送転輪が回転することで前記ガラス管を左方に移動させることができる。
【０００７】
好ましくは、前記動力変換装置は変換空間を含み、前記変換空間の中には変換ブロックがスライドできるように設置され、前記変換ブロックの上端面には当接ブロックが固定的に設置され、前記当接ブロックの外周には復帰バネが前記当接ブロックをカバーするように設置され、前記復帰バネの上下両端はそれぞれ前記変換空間の上端壁と前記変換ブロックの上端面と固定的に連結され、前記変換ブロックの中には動力モーターが設置され、前記動力モーターの下端には動力回転軸が伝動できるように装着され、前記動力回転軸には主動歯車が固定的に設置され、前記主動歯車の下側には第三傘歯車が固定的に設置され、前記第三傘歯車の左端には第四傘歯車が噛み合えるように連結され、前記第四傘歯車と前記切断装置とが伝動できるように連結され、前記変換空間の右端壁の中には従動回転溝が連通するように形成され、前記従動回転溝の中には従動歯車が回転できるように設置され、前記従動歯車と前記主動歯車とが噛み合うように連結され、前記従動歯車の中心には従動回転軸が固定的に設置され、前記従動回転溝の上側にはベルト溝が連通するように形成され、前記従動回転軸の上端と前記ベルト溝の上端壁とが回転できるように連結され、上側の前記スプラインスリーブが前記ベルト溝を貫通し、前記ベルト溝の中の前記スプラインスリーブと前記従動回転軸とが動力ベルトによって連結されており、
それによって前記主動歯車が前記従動歯車と噛み合った時、前記動力モーターは前記輸送装置に動力を提供し、前記第三傘歯車が前記第四傘歯車と噛み合った時、前記動力モーターは前記切断装置に動力を提供する。
【０００８】
好ましくは、前記伸縮装置は環状の伸縮溝を含み、前記伸縮溝の右端壁には伸縮モーターが固定的に設置され、前記伸縮モーターの左端にはプッシュロッドが装着され、前記プッシュロッドには当接溝が形成され、前記当接ブロックの上端が前記伸縮溝の中に伸び、且つ前記当接溝と当接し、前記プッシュロッドの左端には環状板が固定的に設置されており、前記環状板の左端は斜面構造であり、
それによって前記伸縮モーターの作動は前記プッシュロッドを左方に移動させることができ、そして前記当接ブロックが下降し、それによって前記動力モーターの動力変換を制御する。
【０００９】
好ましくは、前記切断装置は環状溝を含み、前記環状溝と前記切断回転溝の右側とが連通し、前記環状溝の中には歯付きリングが回転できるように設置され、前記歯付きリングの中には回転歯車が噛み合うように連結され、前記回転歯車の中心には回転ロッドが固定的に設置され、前記回転ロッドの右端と前記第四傘歯車とが固定的に連結され、前記切断回転溝の中には切断回転ブロックがスライドできるように設置され、前記切断回転ブロックの右端面の中には圧力かけ溝が形成され、前記圧力かけ溝の中には圧力かけスライドブロックがスライドできるように設置され、前記圧力かけスライドブロックの上端と前記圧力かけ溝との間には圧力かけバネが固定的に設置され、前記圧力かけスライドブロックの右端と前記歯付きリングとが固定的に連結され、前記切断回転ブロックの中には調節空間が設置され、前記調節空間の中には装着ブロックがスライドできるように設置され、前記熱伝導ブロックが前記装着ブロックの中に装着され、且つ前記熱伝導ブロックが外部の商用電源と通電できるように連結され、前記調節空間の左端壁の中には調節スライド溝が連通するように設置され、前記調節スライド溝の中には調節親ねじが回転できるように設置され、前記装着ブロックと前記調節親ねじとがネジ山によって連結され、前記切断回転溝の外側には環状の凹溝が連通するように形成され、前記調節親ねじの上端が前記凹溝の中に伸び、且つ前記調節親ねじの上端には調節回転ブロックが固定的に設置され、前記切断回転ブロックの上端面には固定ブロックが固定的に設置され、前記固定ブロックには圧力バネがカバーするように設置され、前記固定ブロックの上端が前記伸縮溝の中に伸びており、且つ前記固定ブロックの右端面は斜面構造であり、それによって前記環状板と当接でき、
それによって前記調節回転ブロックを回転させ、前記装着ブロックの位置を調節し、それによって前記切断刃が前記ガラス管と当接する。
【００１０】
好ましくは、前記送り出し装置は移動空間を含み、前記移動空間の右端壁の中には駆動モーターが固定的に設置され、前記駆動モーターの左端には回転親ねじが装着され、前記回転親ねじの左端と前記移動空間の左端壁とが回転できるように連結され、前記移動空間の中には移動ブロックがスライドできるように設置され、前記移動ブロックの下端面は歯状構造であり、前記移動ブロックの前端と前記移動空間の前端壁との間には連結バネが固定的に設置され、前記移動ブロックの中にはスライド溝が形成され、前記スライド溝の中にはスライドブロックがスライドできるように設置され、前記スライドブロックと前記回転親ねじとがネジ山によって連結され、前記スライド溝の上側には巻取空間が設置され、前記巻取空間の中には巻取車が回転できるように設置され、前記巻取車には二本の引き紐が固定的に巻き付くように設置され、二つの前記引き紐は前記巻取車を基準として前後に設置され、前記巻取空間の上端壁には回転モーターが固定的に設置され、前記巻取車と前記回転モーターとが伝動できるように連結され、前記移動ブロックの中には前後対称の挟み空間が設置され、前記挟み空間と前記送り出し空間とが連通し、前記挟み空間と前記巻取空間との間にはテンションプーリが回転できるように設置され、前記引き紐の下端は前記テンションプーリを巻き付けた後に前記挟み空間の中に伸び、前記挟み空間の中には挟みスライドロッドがスライドできるように設置され、前記引き紐と前記挟みスライドロッドとが固定的に連結され、前記挟みスライドロッドのうち前記送り出し空間から離れている一つの端面にはトーションバネが固定的に設置され、前記挟みスライドロッドのうち対称中心に近接した一端には挟みブロックが固定的に設置され、前記挟みブロックのうち対称中心に近接した一つの端面には滑り防止パッドが固定的に設置されており、
それによって前記挟みブロックによって前記ガラス管をきつく挟み、切断完了後、前記駆動モーターの作動は前記移動ブロックを左方に移動させ、それによって前記ガラス管が左方に移動し、前記挟みブロックが背を向ける方向へ移動して互いに放された時、前記ガラス管は前記送り出し空間によって送り出される。
【００１１】
好ましくは、前記振動装置は伝動溝を含み、前記伝動溝の上側と前記移動空間とが連通し、前記伝動溝の中には伝動歯車が回転できるように設置され、前記伝動歯車が前記移動ブロックと噛み合い、前記伝動歯車の中心には伝動軸が固定的に設置され、前記伝動溝の後側には転向空間が連通するように設置され、前記伝動軸の後端が前記転向空間の中に伸び、且つ前記伝動軸の後端には第五傘歯車が固定的に設置され、前記第五傘歯車の後端には第六傘歯車が噛み合うように連結され、前記第六傘歯車の中心には転向回転軸が固定的に設置され、前記転向空間の上側にはカム空間が連通するように設置され、前記転向回転軸の上端と前記カム空間の上端壁とが回転できるように連結され、前記カム空間の中の前記転向回転軸にはカムが固定的に設置され、前記カムが前記移動ブロックの後端面と当接しており、
それによって前記移動ブロックが左方に移動する時、前記カムを回転させ、それによって前記移動ブロックの前後方向に小幅の振動が発生し、前記ガラス管の切断された部位の分離を速める。
【発明の効果】
【００１２】
本発明の有益な効果は：本発明は加熱された切断刃がガラス管に沿って回転することで、ガラス管を快速に切断し、且つガラス管の切断される位置の左右両側にそれぞれ送り出し装置と輸送装置とが設置され、ガラス管を固定するのを保障し、ガラス管を切断する安定性を高め、また、ガラス管を左方へ送り込む時、伸縮装置によって切断刃をガラス管と当接させなく、切断刃でガラス管の外表面を傷付けることを回避し、切断された後のガラス管は振動装置によって切断された部位の分離速度を高め、それによって切断作業の効率を高める。
【図面の簡単な説明】
【００１３】
説明しやすいために、本発明を下記の具体的な実施例及び附図をもって詳しく説明する。下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明の防護型のガラス切断機の全体構成概略図
【図２】図２は図１の「Ａ」の拡大構成概略図
【図３】図３は図１の「Ｂ―Ｂ」方向の構成概略図
【図４】図４は図３の「Ｃ」の拡大構成概略図
【図５】図５は図１の「Ｄ」の拡大構成概略図
【図６】図６は図５の「Ｅ」の拡大構成概略図
【図７】図７は図１の「Ｆ―Ｆ」方向の構成概略図
【図８】図８は図１の「Ｇ―Ｇ」方向の構成概略図
【発明を実施するための形態】
【００１５】
本発明は防護型のガラス切断機に関わり、主にガラス管の切断作業に応用され、下記に本発明の附図を合わせて本発明について詳しい説明を行う。
【００１６】
本発明に記載の防護型のガタス切断機は、切断主体１０を含み、前記切断主体１０の中には切断空間１１が設置され、前記切断空間１１の中には輸送装置６０１が設置され、前記輸送装置６０１は上下対称の輸送転輪１５を含み、前記輸送転輪１５は対向的に回転することでガラス管１２を左方に移動させることができ、それによって切断を行い、前記輸送装置６０１の左側には動力変換装置６０２が設置され、前記動力変換装置６０２の上側には伸縮装置６０３が設置され、前記伸縮装置６０３は前記動力変換装置６０２の動力変換作動を制御することができ、前記動力変換装置６０２の左側には環状の切断回転溝５３が形成され、前記切断回転溝５３と前記切断空間１１とが連通し、前記切断回転溝５３の中には切断装置６０４が設置され、前記切断装置６０４と前記動力変換装置６０２とは伝動できるように連結され、前記動力変換装置６０２はそれぞれ前記輸送装置６０１と前記切断装置６０４とに動力を提供でき、前記切断装置６０４の中には切断刃６１と熱伝導ブロック６０とがあり、前記切断装置６０４の作動は、前記切断刃６１が前記ガラス管１２を中心に回転することを連動させ、且つ前記熱伝導ブロック６０が通電して発熱して前記切断刃６１に伝導して前記ガラス管１２に対する切断を速め、前記切断空間１１の左側には送り出し空間８３が連通するように設置され、前記送り出し空間８３の外周には送り出し装置６０５が設置され、前記送り出し装置６０５の後側には振動装置６０６が設置され、前記振動装置６０６は前記ガラス管１２をきつく挟むことができ、前記ガラス管１２を切断した後に左方へ移動させ、そして切断された前記ガラス管１２が前記送り出し空間８３の中まで出力される。
【００１７】
有益なように、前記輸送装置６０１は上下対称の昇降空間１３を含み、前記昇降空間１３と前記切断空間１１とが連通し、前記昇降空間１３の中には輸送ブロック１４がスライドできるように設置され、前記輸送転輪１５が前記輸送ブロック１４の中に回転できるように設置され、前記輸送転輪１５の中心には輸送回転軸１６が固定的に設置され、前記輸送転輪１５の上側には噛み合い空間１７が設置され、前記噛み合い空間１７の後端壁の中には歯車回転軸１８が回転できるように設置され、前記歯車回転軸１８と前記輸送回転軸１６とはタイミングベルト２２によって伝動できるように連結され、前記歯車回転軸１８の前端には第一傘歯車１９が固定的に設置され、前記第一傘歯車１９の上側には第二傘歯車２０が噛み合うように連結され、前記第二傘歯車２０の中心にはスプライン軸２３が固定的に設置され、前記スプライン軸２３には伸縮バネ２４がカバーするように設置され、前記昇降空間１３の上端壁の中にはスプラインスリーブ２５が回転できるように設置され、前記スプラインスリーブ２５には伝動ベルト２６が伝動できるように連結され、前記昇降空間１３の後側の間には連結軸２７が回転できるように設置され、前記連結軸２７の上下両端はそれぞれ前記伝動ベルト２６と伝動できるように連結されており、
それによって前記ガラス管１２の外径のサイズによって、前記輸送ブロック１４は前記輸送転輪１５が伸縮調節を行うのを連動させられ、それによって前記輸送転輪１５が前記ガラス管１２と当接し、上下の前記輸送転輪１５が回転することで前記ガラス管１２を左方に移動させることができる。
【００１８】
有益なように、前記動力変換装置６０２は変換空間３３を含み、前記変換空間３３の中には変換ブロック３４がスライドできるように設置され、前記変換ブロック３４の上端面には当接ブロック４２が固定的に設置され、前記当接ブロック４２の外周には復帰バネ４１が前記当接ブロック４２をカバーするように設置され、前記復帰バネ４１の上下両端はそれぞれ前記変換空間３３の上端壁と前記変換ブロック３４の上端面と固定的に連結され、前記変換ブロック３４の中には動力モーター２１が設置され、前記動力モーター２１の下端には動力回転軸３６が伝動できるように装着され、前記動力回転軸３６には主動歯車３７が固定的に設置され、前記主動歯車３７の下側には第三傘歯車３９が固定的に設置され、前記第三傘歯車３９の左端には第四傘歯車４０が噛み合えるように連結され、前記第四傘歯車４０と前記切断装置６０４とが伝動できるように連結され、前記変換空間３３の右端壁の中には従動回転溝３０が連通するように形成され、前記従動回転溝３０の中には従動歯車３２が回転できるように設置され、前記従動歯車３２と前記主動歯車３７とが噛み合うように連結され、前記従動歯車３２の中心には従動回転軸３１が固定的に設置され、前記従動回転溝３０の上側にはベルト溝２８が連通するように形成され、前記従動回転軸３１の上端と前記ベルト溝２８の上端壁とが回転できるように連結され、上側の前記スプラインスリーブ２５が前記ベルト溝２８を貫通し、前記ベルト溝２８の中の前記スプラインスリーブ２５と前記従動回転軸３１とが動力ベルト２９によって連結されており、
それによって前記主動歯車３７が前記従動歯車３２と噛み合った時、前記動力モーター２１は前記輸送装置６０１に動力を提供し、前記第三傘歯車３９が前記第四傘歯車４０と噛み合った時、前記動力モーター２１は前記切断装置６０４に動力を提供する。
【００１９】
有益なように、前記伸縮装置６０３は環状の伸縮溝４８を含み、前記伸縮溝４８の右端壁には伸縮モーター４３が固定的に設置され、前記伸縮モーター４３の左端にはプッシュロッド４５が装着され、前記プッシュロッド４５には当接溝４６が形成され、前記当接ブロック４２の上端が前記伸縮溝４８の中に伸び、且つ前記当接溝４６と当接し、前記プッシュロッド４５の左端には環状板４７が固定的に設置されており、前記環状板１７の左端は斜面構造であり、
それによって前記伸縮モーター４３の作動は前記プッシュロッド４５を左方に移動させることができ、そして前記当接ブロック４２が下降し、それによって前記動力モーター２１の動力変換を制御する。
【００２０】
有益なように、前記切断装置６０４は環状溝４４を含み、前記環状溝４４と前記切断回転溝５３の右側とが連通し、前記環状溝４４の中には歯付きリング５１が回転できるように設置され、前記歯付きリング５１の中には回転歯車５２が噛み合うように連結され、前記回転歯車５２の中心には回転ロッド３８が固定的に設置され、前記回転ロッド３８の右端と前記第四傘歯車４０とが固定的に連結され、前記切断回転溝５３の中には切断回転ブロック５４がスライドできるように設置され、前記切断回転ブロック５４の右端面の中には圧力かけ溝５５が形成され、前記圧力かけ溝５５の中には圧力かけスライドブロック５６がスライドできるように設置され、前記圧力かけスライドブロック５６の上端と前記圧力かけ溝５５との間には圧力かけバネ５７が固定的に設置され、前記圧力かけスライドブロック５６の右端と前記歯付きリング５１とが固定的に連結され、前記切断回転ブロック５４の中には調節空間５８が設置され、前記調節空間５８の中には装着ブロック５９がスライドできるように設置され、前記熱伝導ブロック６０が前記装着ブロック５９の中に装着され、且つ前記熱伝導ブロック６０が外部の商用電源と通電できるように連結され、前記調節空間５８の左端壁の中には調節スライド溝６２が連通するように設置され、前記調節スライド溝６２の中には調節親ねじ６３が回転できるように設置され、前記装着ブロック５９と前記調節親ねじ６３とがネジ山によって連結され、前記切断回転溝５３の外側には環状の凹溝６５が連通するように形成され、前記調節親ねじ６３の上端が前記凹溝６５の中に伸び、且つ前記調節親ねじ６３の上端には調節回転ブロック６４が固定的に設置され、前記切断回転ブロック５４の上端面には固定ブロック４９が固定的に設置され、前記固定ブロック４９には圧力バネ５０がカバーするように設置され、前記固定ブロック４９の上端が前記伸縮溝４８の中に伸びており、且つ前記固定ブロック４９の右端面は斜面構造であり、それによって前記環状板４７と当接でき、
それによって前記調節回転ブロック６４を回転させ、前記装着ブロック５９の位置を調節し、それによって前記切断刃６１が前記ガラス管１２と当接する。
【００２１】
有益なように、前記送り出し装置６０５は移動空間６６を含み、前記移動空間６６の右端壁の中には駆動モーター６８が固定的に設置され、前記駆動モーター６８の左端には回転親ねじ６７が装着され、前記回転親ねじ６７の左端と前記移動空間６６の左端壁とが回転できるように連結され、前記移動空間６６の中には移動ブロック６９がスライドできるように設置され、前記移動ブロック６９の下端面は歯状構造であり、前記移動ブロック６９の前端と前記移動空間６６の前端壁との間には連結バネ７８が固定的に設置され、前記移動ブロック６９の中にはスライド溝７１が形成され、前記スライド溝７１の中にはスライドブロック７０がスライドできるように設置され、前記スライドブロック７０と前記回転親ねじ６７とがネジ山によって連結され、前記スライド溝７１の上側には巻取空間７２が設置され、前記巻取空間７２の中には巻取車７３が回転できるように設置され、前記巻取車７３には二本の引き紐７５が固定的に巻き付くように設置され、二つの前記引き紐７５は前記巻取車７３を基準として前後に設置され、前記巻取空間７２の上端壁には回転モーター７４が固定的に設置され、前記巻取車７３と前記回転モーター７４とが伝動できるように連結され、前記移動ブロック６９の中には前後対称の挟み空間７７が設置され、前記挟み空間７７と前記送り出し空間８３とが連通し、前記挟み空間７７と前記巻取空間７２との間にはテンションプーリ７６が回転できるように設置され、前記引き紐７５の下端は前記テンションプーリ７６を巻き付けた後に前記挟み空間７７の中に伸び、前記挟み空間７７の中には挟みスライドロッド７９がスライドできるように設置され、前記引き紐７５と前記挟みスライドロッド７９とが固定的に連結され、前記挟みスライドロッド７９のうち前記送り出し空間８３から離れている一つの端面にはトーションバネ８０が固定的に設置され、前記挟みスライドロッド７９のうち対称中心に近接した一端には挟みブロック８１が固定的に設置され、前記挟みブロック８１のうち対称中心に近接した一つの端面には滑り防止パッド８２が固定的に設置されており、
それによって前記挟みブロック８１によって前記ガラス管１２をきつく挟み、切断完了後、前記駆動モーター６８の作動は前記移動ブロック６９を左方に移動させ、それによって前記ガラス管１２が左方に移動し、前記挟みブロック８１が背を向ける方向へ移動して互いに放された時、前記ガラス管１２は前記送り出し空間８３によって送り出される。
【００２２】
有益なように、前記振動装置６０６は伝動溝９２を含み、前記伝動溝９２の上側と前記移動空間６６とが連通し、前記伝動溝９２の中には伝動歯車９１が回転できるように設置され、前記伝動歯車９１が前記移動ブロック６９と噛み合い、前記伝動歯車９１の中心には伝動軸９０が固定的に設置され、前記伝動溝９２の後側には転向空間８７が連通するように設置され、前記伝動軸９０の後端が前記転向空間８７の中に伸び、且つ前記伝動軸９０の後端には第五傘歯車８９が固定的に設置され、前記第五傘歯車８９の後端には第六傘歯車８８が噛み合うように連結され、前記第六傘歯車８８の中心には転向回転軸８５が固定的に設置され、前記転向空間８７の上側にはカム空間８４が連通するように設置され、前記転向回転軸８５の上端と前記カム空間８４の上端壁とが回転できるように連結され、前記カム空間８４の中の前記転向回転軸８５にはカム８６が固定的に設置され、前記カム８６が前記移動ブロック６９の後端面と当接しており、
それによって前記移動ブロック６９が左方に移動する時、前記カム６９を回転させ、それによって前記移動ブロック６９の前後方向に小幅の振動が発生し、前記ガラス管１２の切断された部位の分離を速める。
【００２３】
下記に図１〜８を合わせて本発明の防護型のガラス切断機の使用ステップを詳しく説明する。
【００２４】
使用の時、回転モーター７４を作動させ、巻取車７３を回転連動させ、それによって引き紐７５は収縮して挟みスライドロッド７９のうち対称中心から離れている一端を挟み空間７７の内端壁と当接させ、それによって挟みブロック８１は背を向ける方向に限界に達するまで移動し、トーションバネ８０が圧縮状態にあり、ガラス管１２を左向きに切断空間１１の中に置き、ガラス管１２の外径のサイズによって、輸送転輪１５を切断空間１１から離れる方向に移動させ、輸送転輪１５にガラス管１２との当接を保たせ、回転モーター７４が逆方向に回転作動し、それによって巻取車７３が逆方向に回転し、それによって挟みスライドロッド７９はトーションバネ８０の弾性復帰力作用の下で互いに近づき、挟みブロック８１によってガラス管１２をきつく挟み、それによって輸送転輪１５と挟みブロック８１とがガラス管１２の切断されたところの両側を固定し、切断の安定性を保障し、動力モーター２１を作動させ、それによって主動歯車３７が従動歯車３２を回転連動させ、動力ベルト２９によって上側のスプラインスリーブ２５を回転させ、それによって連結軸２７が下側のスプラインスリーブ２５を回転連動させ、さらに上下のスプライン軸２３を回転させ、タイミングベルト２２によって輸送回転軸１６を回転させ、それによって輸送転輪１５の回転はガラス管１２を左方へ送り込み、ガラス管１２の切断される位置が切断刃６１の位置と合わせった時、輸送転輪１５が回転を止め、そして、伸縮モーター４３の作動はプッシュロッド４５を左方に移動させ、それによって当接ブロック４２は下降して変換ブロック３４を下降連動させ、それによって主動歯車３７が従動歯車３２との噛み合いから離脱し、第三傘歯車３９が第四傘歯車４０と噛み合い、プッシュロッド４５が左方に移動する時、環状板４７によって固定ブロック４９を押し動かして下降させ、それによって切断回転ブロック５４が切断刃６１を下降連動させ、その後、調節回転ブロック６４を回転させることで調節親ねじ６３が回転し、それによって装着ブロック５９が切断空間１１に近接する方向に移動し、それによって切断刃６１がガラス管１２と当接し、それによって動力モーター２１が作動し、第四傘歯車４０を回転連動させ、それによって歯付きリング５１が回転し、それによって切断回転ブロック５４が回転して切断刃６１を連動させてガラス管１２を回って回転させ、熱伝導ブロック６０が通電して切断刃６１を加熱し、それによって切断刃６１の切断効率を高める。
【００２５】
切断終了後、伸縮モーター４３が作動してプッシュロッド４５を右方に移動させ、それによって当接ブロック４２が上昇し、動力モーター２１に従動歯車３２に動力を提供させ、この時、環状板４７が右方に移動し、それによって固定ブロック４９は圧力バネ５０の弾性復帰力作用の下で上昇し、そして切断回転ブロック５４が上昇し、それによって切断刃６１はガラス管１２との当接から離脱し、駆動モーター６８が作動し、それによって回転親ねじ６７が回転し、それによってスライドブロック７０が移動ブロック６９を左方に移動させ、それによって伝動溝９２が回転して第六傘歯車８８を回転連動させ、それによってカム８６が回転し、連結バネ７８の作用の下で、移動ブロック６９が前後に往復移動して小幅の振動を生み出し、それによってガラス管１２の切断された部位が分離し、移動ブロック６９が左方に移動して伝動溝９２から離脱した時、移動ブロック６９が振動を止め、且つ移動ブロック６９はガラス管１２を持続的に左方へ移動させ、回転モーター７４が作動することで引き紐７５を巻き取る時、挟みスライドロッド７９が互いに離れていき、それによって挟みブロック８１が放され、それによってガラス管１２が下降して送り出し空間８２によって送り出され、続いて、動力モーター２１が作動して従動歯車３２を回転連動させ、そして輸送転輪１５が回転してガラス管１２を左方に移動させ、ガラス管１２は切断待ちの位置が切断刃６１と相対した時、回転モーター７４を逆方向に回転作動させ、それによって挟みブロック８１は互いに近づいてガラス管１２をきつく挟み、伸縮モーター４３が再び作動し、それによって切断刃６１がガラス管１２と当接し、切断刃６１の回転によってガラス管１２を再び切断する。
【００２６】
本発明の有益な効果は：本発明は加熱された切断刃がガラス管に沿って回転することで、ガラス管を快速に切断し、且つガラス管の切断される位置の左右両側にそれぞれ送り出し装置と輸送装置とが設置され、ガラス管を固定するのを保障し、ガラス管を切断する安定性を高め、また、ガラス管を左方へ送り込む時、伸縮装置によって切断刃をガラス管と当接させなく、切断刃でガラス管の外表面を傷付けることを回避し、切断された後のガラス管は振動装置によって切断された部位の分離速度を高め、それによって切断作業の効率を高める。
【００２７】
上記の方式によって、当業者は本発明の範囲内で作動モードに基づいて様々な変わりを行うことができる。
【要約】
【課題】本発明は防護型のガラス切断機を開示した。
【解決手段】
切断主体を含み、前記切断主体の中には切断空間が設置され、前記切断空間の中には輸送装置が設置され、前記輸送装置は上下対称の輸送転輪を含み、前記輸送転輪は対向的に回転することでガラス管を左方に移動連動させることができ、それによって切断を行い、本発明は加熱された切断刃がガラス管に沿って回転することで、ガラス管を快速に切断し、ガラス管を切断する安定性を高め、また、ガラス管を左方へ送り込む時、伸縮装置によって切断刃をガラス管と当接させなく、切断刃でガラス管の外表面を傷付けることを回避し、切断作業の効率を高める。
【選択図】図１【図１】
0006740524.tif 000002
【図２】
0006740524.tif 000003
【図３】
0006740524.tif 000004
【図４】
0006740524.tif 000005
【図５】
0006740524.tif 000006
【図６】
0006740524.tif 000007
【図７】
0006740524.tif 000008
【図８】
0006740524.tif 000009